(57)【要約】【課題】グラフィック要素の表示の方法及び器具を提供する。【解決手段】装置によりユーザインタフェースを呈示する方法及び器具を提供する。方法は、装置により表示されたユーザインタフェースのメディアタイトルに関連付けられたユーザ選択を検出する段階と、メディアタイトルのための１つ又はそれよりも多くの関連付けカテゴリのランク付けを判断する段階であって、ランク付けがメディアタイトルの特徴に関連する複数の関連付けカテゴリの得点に基づいて判断される段階と、ユーザ選択に基づくメディアタイトルに関連付けられたグラフィック要素を表示する段階とを含む。本方法は、得点に基づく複数の関連付けカテゴリのための１つ又はそれよりも多くのグラフィック要素を表示する段階を更に含み、１つ又はそれよりも多くのグラフィック要素は、メディアタイトルに対する関連付けカテゴリのランクに基づいて表示される。【選択図】図１
2012128835.tif 000002
【特許請求の範囲】
【請求項１】
装置によってユーザインタフェースを呈示ためのする方法であって、
装置によって表示されたユーザインタフェースのメディアタイトルに関連付けられたユーザ選択を検出する行為と、
前記メディアタイトルのための１つ又はそれよりも多くの関連付けカテゴリのランク付けを判断する行為であって、ランク付けが、該メディアタイトルの特徴に関連する複数の関連付けカテゴリの得点付けに基づいて判断される行為と、
前記ユーザ選択に基づく前記メディアタイトルに関連付けられたグラフィック要素を前記装置によって表示する行為と、
前記得点付けに基づく複数の関連付けカテゴリのための１つ又はそれよりも多くのグラフィック要素を前記装置によって表示する行為であって、該１つ又はそれよりも多くのグラフィック要素が、前記メディアタイトルに対する該関連付けカテゴリのランクに基づいて表示される行為と、
を含むことを特徴とする方法。
【請求項２】
前記ユーザ選択は、前記ユーザインタフェースによって複数のグラフィック要素を表示中の前記メディアタイトルに関連付けられたグラフィック要素の選択に関連することを特徴とする請求項１に記載の方法。
【請求項３】
前記メディアタイトルに対する１つ又はそれよりも多くの関連付けカテゴリのランク付けを判断する行為は、前記装置によってネットワークベースのサービスから受信したデータをランク付け及び得点付けする行為に基づくことを特徴とする請求項１に記載の方法。
【請求項４】
前記メディアタイトルに対する１つ又はそれよりも多くの関連付けカテゴリのランク付けを判断する行為は、ネットワークベースのサービスから受信した関連のデータから前記装置によって判断されたデータをランク付け及び得点付けする行為に基づくことを特徴とする請求項１に記載の方法。
【請求項５】
前記複数の関連付けカテゴリを得点付けする行為は、前記メディアタイトルのジャンル、該メディアタイトルの特定の配役又はクルー、該メディアタイトルに対するコンテクスト類似性、該メディアタイトルのキーワード、該メディアタイトルの評価、及び該メディアタイトルに関連付けられた賞のうちの１つ又はそれよりも多くに対するカテゴリとメディアタイトル関連付けとの関連付けに基づくことを特徴とする請求項１に記載の方法。
【請求項６】
前記複数の関連付けカテゴリを得点付けする行為は、各関連付けカテゴリに対して判断されたランクに基づく該複数の関連付けカテゴリの各々に対して前記メディアタイトルの最高ランク付けの関連付けを判断する行為を含むことを特徴とする請求項１に記載の方法。
【請求項７】
前記複数の関連付けカテゴリを得点付けする行為は、１つ又はそれよりも多くの関連付けカテゴリのランクを調節して無作為の要素を導入する行為を含むことを特徴とする請求項１に記載の方法。
【請求項８】
前記グラフィック要素の表示は、前記メディアタイトル及び該メディアタイトルに関連付けられた芸術作品のうちの１つ又はそれよりも多くのグラフィック表現に関連することを特徴とする請求項１に記載の方法。
【請求項９】
前記複数の関連付けカテゴリに対して前記１つ又はそれよりも多くのグラフィック要素を表示する行為は、ランクに基づいて各関連付けカテゴリを呈示することを特徴とする請求項１に記載の方法。
【請求項１０】
前記複数の関連付けカテゴリに対して前記１つ又はそれよりも多くのグラフィック要素を表示する行為は、前記ユーザインタフェースのスクロール可能な選択エリアの表示を含むことを特徴とする請求項１に記載の方法。
【請求項１１】
各表示された関連付けカテゴリは、該関連付けカテゴリの表示された識別子を含むことを特徴とする請求項１に記載の方法。
【請求項１２】
関連付けカテゴリに対するグラフィック要素のユーザ選択を検出し、該関連付けカテゴリに関連付けられたメディアタイトルに対する１つ又はそれよりも多くのグラフィック要素を格子状編成及び螺旋状編成の一方で表示する行為を更に含むことを特徴とする請求項１に記載の方法。
【請求項１３】
関連付けカテゴリメニューを表示する行為を更に含み、
選択された関連付けカテゴリが、表示された関連付けカテゴリに対する光輝強調、サイズ調節、及び透明性のうちの１つ又はそれよりも多くを用いて表示される、
ことを特徴とする請求項１に記載の方法。
【請求項１４】
ユーザインタフェースを呈示するためのコンピュータ実行可能コードを含むコンピュータ可読媒体上に記憶されたコンピュータプログラム製品であって、
装置によって表示されたユーザインタフェースの選択に関連付けられたユーザ入力を検出するコンピュータ可読コードと、
前記装置によって表示されたユーザインタフェースのメディアタイトルに関連付けられたユーザ選択を検出するコンピュータ可読コードと、
前記メディアタイトルに対する１つ又はそれよりも多くの関連付けカテゴリのランク付けを判断するコンピュータ可読コードであって、ランク付けが、該メディアタイトルの特徴に対する複数の関連付けカテゴリの得点付けに基づいて判断されるコンピュータ可読コードと、
前記ユーザ選択に基づく前記メディアタイトルに関連付けられたグラフィック要素を表示するコンピュータ可読コードと、
前記得点付けに基づく複数の関連付けカテゴリに対する１つ又はそれよりも多くのグラフィック要素を表示するコンピュータ可読コードであって、該１つ又はそれよりも多くのグラフィック要素が、前記メディアタイトルに対する該関連付けカテゴリのランクに基づいて表示されるコンピュータ可読コードと、
を含むことを特徴とする製品。
【請求項１５】
前記ユーザ選択は、前記ユーザインタフェースによって複数のグラフィック要素を表示中の前記メディアタイトルに関連付けられたグラフィック要素の選択に関連することを特徴とする請求項１４に記載のコンピュータプログラム製品。
【請求項１６】
前記メディアタイトルに対する１つ又はそれよりも多くの関連付けカテゴリのランク付けを判断することは、前記装置によってネットワークベースのサービスから受信したデータをランク付け及び得点付けすることに基づくことを特徴とする請求項１４に記載のコンピュータプログラム製品。
【請求項１７】
前記メディアタイトルに対する１つ又はそれよりも多くの関連付けカテゴリのランク付けを判断することは、ネットワークベースのサービスから受信した関連のデータから前記装置によって判断されたデータをランク付け及び得点付けすることに基づくことを特徴とする請求項１４に記載のコンピュータプログラム製品。
【請求項１８】
前記複数の関連付けカテゴリを得点付けすることは、前記メディアタイトルのジャンル、該メディアタイトルの特定の配役又はクルー、該メディアタイトルに対するコンテクスト類似性、該メディアタイトルのキーワード、該メディアタイトルの評価、及び該メディアタイトルに関連付けられた賞のうちの１つ又はそれよりも多くに対するカテゴリとメディアタイトル属性との関連付けに基づくことを特徴とする請求項１４に記載のコンピュータプログラム製品。
【請求項１９】
前記複数の関連付けカテゴリを得点付けすることは、各関連付けカテゴリに対して判断されたランクに基づく該複数の関連付けカテゴリの各々に対して前記メディアタイトルの最高ランク付けの関連付けを判断することを含むことを特徴とする請求項１４に記載のコンピュータプログラム製品。
【請求項２０】
前記複数の関連付けカテゴリを得点付けすることは、１つ又はそれよりも多くの関連付けカテゴリのランクを調節して無作為の要素を導入することを特徴とする請求項１４に記載のコンピュータプログラム製品。
【請求項２１】
前記グラフィック要素の表示は、前記メディアタイトル及び該メディアタイトルに関連付けられた芸術作品のうちの１つ又はそれよりも多くのグラフィック表現に関連することを特徴とする請求項１４に記載のコンピュータプログラム製品。
【請求項２２】
前記複数の関連付けカテゴリに対して前記１つ又はそれよりも多くのグラフィック要素を表示することは、ランクに基づいて各関連付けカテゴリを呈示することを特徴とする請求項１４に記載のコンピュータプログラム製品。
【請求項２３】
前記複数の関連付けカテゴリに対して前記１つ又はそれよりも多くのグラフィック要素を表示することは、前記ユーザインタフェースのスクロール可能な選択エリアの表示を含むことを特徴とする請求項１４に記載のコンピュータプログラム製品。
【請求項２４】
各表示された関連付けカテゴリは、該関連付けカテゴリの表示された識別子を含むことを特徴とする請求項１４に記載のコンピュータプログラム製品。
【請求項２５】
関連付けカテゴリに対するグラフィック要素のユーザ選択を検出し、該関連付けカテゴリに関連付けられたメディアタイトルに対する１つ又はそれよりも多くのグラフィック要素を格子状編成及び螺旋状編成の一方で表示するコンピュータ可読コードを更に含むことを特徴とする請求項１４に記載のコンピュータプログラム製品。
【請求項２６】
関連付けカテゴリメニューを表示するコンピュータ可読コードを更に含み、
選択された関連付けカテゴリが、表示された関連付けカテゴリに対する光輝強調、サイズ調節、及び透明性のうちの１つ又はそれよりも多くを用いて表示される、
ことを特徴とする請求項１４に記載のコンピュータプログラム製品。
【請求項２７】
装置であって、
ディスプレイと、
メモリと、
装置によって表示されたユーザインタフェースのメディアタイトルに関連付けられたユーザ選択を検出し、
前記メディアタイトルに対する１つ又はそれよりも多くの関連付けカテゴリのランク付けを判断し、ランク付けが、該メディアタイトルの特徴に対する複数の関連付けカテゴリの得点付けに基づいて判断され、
前記ユーザ選択に基づく前記メディアタイトルに関連付けられたグラフィック要素の表示を制御し、かつ
前記得点付けに基づく複数の関連付けカテゴリに対する１つ又はそれよりも多くのグラフィック要素の表示を制御し、該１つ又はそれよりも多くのグラフィック要素は、前記メディアタイトルに対する該関連付けカテゴリのランクに基づいて表示される、
ように構成され、前記ディスプレイ及びメモリに連結されたプロセッサと、
を含むことを特徴とする装置。
【発明の詳細な説明】
【技術分野】
【０００１】
〔関連出願への相互参照〕
本出願は、本出願人に譲渡されかつ同時出願の「メディアコンテンツ呈示のためのユーザインタフェース」という名称の米国特許出願番号第＿＿＿＿＿＿＿＿＿＿＿号明細書に関連するものであり、この出願の開示内容は、これにより引用により完全に組み込まれる。
【０００２】
本発明の開示は、一般的に、ユーザインタフェース要素の呈示に関するものであり、より詳細には、選択されたメディアタイトルの１つ又はそれよりも多くの属性に基づくグラフィック要素の表示のための方法及び器具に関する。
【背景技術】
【０００３】
装置のためのユーザインタフェースを提供する一般的な方法は、通常、単一のメディアファイル又はソースの再生のための装置作動に関する。従って、従来のユーザインタフェース制御の多くは、単一のメディアタイトルの再生のための機能に関する。一部の従来の装置の中には、特定のメディアファイルの選択にグラフィックメニューを提供するものもある。しかし、これらの従来の方法及び装置は、ユーザに複数のメディアタイトルを呈示するという装置の機能において制限されている。その結果、メディアタイトルの閲覧及び選択が多数のユーザに対して困難になる場合がある。
【０００４】
ネットワークベースのサービスの発達により、メディアコンテンツのプロバイダの多くは、ユーザが表示装置からのメディアコンテンツの購入及び／又はレンタルを可能にしている。従来の手法は、一般的に、メディアの選択にウェブベースのインタフェースを提供するものである。しかし、この従来のユーザインタフェース及び装置は、多くのファイルを呈示するのに適していない場合がある。多くの事例において、ユーザは、装置入力制御を通じて表示装置上でレンタル及び／又は購入のために複数のメディアファイルを閲覧する機能を求めている。
【発明の概要】
【発明が解決しようとする課題】
【０００５】
メディアタイトルの呈示を行う従来方法の別の欠点は、呈示のためのメディアタイトルを提案する機能である。一般的に、メディアタイトルのカテゴリ化は、アルファベット順又は限定されたカテゴリに限定されている。更に、これらの従来の方法は、ユーザによるユーザインタフェース操作に基づいて行う１つ又はそれよりも多くのメディアタイトルの決定を考慮してしない。従って、上述の１つ又はそれよりも多くの欠点を克服するメディアの選択及び呈示を考慮したユーザインタフェースに対する要望が存在する。
【課題を解決するための手段】
【０００６】
本明細書に開示かつ特許請求するのは、装置によってユーザインタフェースを呈示する方法及び器具である。一実施形態では、方法は、装置により表示されたユーザインタフェースのメディアタイトルに関連付けられたユーザ選択を検出する段階と、メディアタイトルのための１つ又はそれよりも多くの関連付けカテゴリのランク付けを判断する段階であって、ランク付けが、メディアタイトルの特徴に関連する複数の関連付けカテゴリの得点に基づいて判断される段階と、ユーザ選択に基づくメディアタイトルに関連付けられたグラフィック要素を装置によって表示する段階とを含む。本方法は、得点に基づく複数の関連付けカテゴリのための１つ又はそれよりも多くのグラフィック要素を装置によって表示する段階を更に含み、１つ又はそれよりも多くのグラフィック要素は、メディアタイトルに対する関連付けカテゴリのランクに基づいて表示される。
【０００７】
本発明の開示の他の態様、特徴、及び技術は、実施形態の以下の詳細説明に鑑みて当業者には明らかであろう。
【０００８】
本発明の開示の特徴、目的、及び利点は、本明細書を通じて同じ参照文字が対応を示す図面と併せて以下の詳細説明から更に明らかになるであろう。
【図面の簡単な説明】
【０００９】
【図１】一実施形態によるユーザインタフェースのグラフィック表現を示す図である。
【図２】一実施形態による装置の簡略ブロック図である。
【図３】一実施形態によるユーザインタフェースを表示するための処理を示す図である。
【図４】１つ又はそれよりも多くの実施形態によるピボット接続カテゴリのグラフィック表現を示す図である。
【図５】別の実施形態によるユーザインタフェースのグラフィック表現を示す図である。
【図６】別の実施形態によるユーザインタフェースのグラフィック表現を示す図である。
【図７】別の実施形態によるユーザインタフェースのグラフィック表現を示す図である。
【図８】別の実施形態によるユーザインタフェース作動に対する処理のグラフィック表現を示す図である。
【発明を実施するための形態】
【００１０】
要旨及び用語
本発明の開示の１つの態様は、１つ又はそれよりも多くのメディアタイトルを呈示するユーザインタフェースの表示に関する。一実施形態では、ユーザインタフェースのユーザ選択とメディアタイトルの関連付けの得点とに基づいて判断される１つ又はそれよりも多くのメディアタイトル及び／又は関連付けカテゴリを選択的に表示する方法を提供する。関連付けのための要素のグラフィック表示は、ユーザインタフェースにより呈示されるメディアタイトルに関連付けられたグラフィック要素に加えて表示することができる。関連付けカテゴリ及び関連付けられたメディアタイトルは、グラフィック要素として、すなわち、１つ又はそれよりも多くのピボット接続要素として表示することができる。ピボット接続要素は、メディアコンテンツの探索を行うためにユーザによる選択に対して表示することができる。本発明の１つの利点は、ピボット接続の表示に優先順位を付けることによって提供することができる。例えば、メディアタイトルに関連付けられたグラフィック要素のユーザ選択に基づいて、１つ又はそれよりも多くのメディアタイトルに得点を付けることができる。得点が付けられたメディアタイトルのランクに基づいて、１つ又はそれよりも多くの関連付けカテゴリは、ユーザに対して表示することができる。代替的に又は組み合わせで、１つ又はそれよりも多くの関連付けカテゴリは、メディアタイトルに関連付けられたグラフィック要素のユーザ選択に基づいて得点を付けることができる。得点が付けられた関連付けカテゴリのランクに基づいて、１つ又はそれよりも多くの関連付けカテゴリは、ユーザに対して表示することができる。次に、ユーザインタフェースの表示は、ユーザが１つ又はそれよりも多くのメディアタイトルを閲覧するために選択可能な１つ又はそれよりも多くのピボット接続要素を含むことができる。
【００１１】
一実施形態では、メディアタイトルは、選択されたメディアタイトルの１つ又はそれよりも多くの属性に関連付けられた特定のピボット接続カテゴリに基づいて個々に得点を付けることができる。ピボット接続要素内にあるメディアタイトルのグラフィック要素の表示は、メディアタイトルの得点に基づくことができる。ピボット接続要素のユーザ選択に基づいて、ユーザインタフェースは、ユーザ呈示のための詳細な図、格子状単位の編成、及び螺旋状の編成のうちの１つ又はそれよりも多くの編成でグラフィック要素を表示するように構成することができる。
【００１２】
本明細書で用いられる「ａ」又は「ａｎ」という用語は、１つ又は１つよりも多くを意味するものとする。「複数の」という用語は、２つ又は２つよりも多くを意味するものとする。「別の」という用語は、２又はそれよりも多い番目として定められる。「含む」及び／又は「有する」という用語は、網羅的な用語である（例えば、備える）。本明細書で使用される「又は」という用語は、包含的なものとして解釈され、又はいずれか１つ又はいずれかの組合せを意味するものとして解釈すべきである。従って、「Ａ、Ｂ、又はＣ」は、「Ａ、Ｂ、Ｃ、Ａ及びＢ、Ａ及びＣ、Ｂ及びＣ、Ａ、Ｂ、及びＣのいずれか」を意味する。この定義に対する例外は、要素、機能、段階、又は行為の組合せが何らかの点で本質的に互いに相容れない時にのみ発生することになる。
【００１３】
本明細書を通じて「一実施形態」、「ある一定の実施形態」、「実施形態」、又は類似の用語への言及は、実施形態に関連して説明する特定の特徴、構造、又は特性が本発明の開示の少なくとも１つの実施形態に含まれることを意味する。従って、本明細書を通じて出現するこのような語句は、必ずしも全てが同じ実施形態について言及するものではない。更に、特定の特徴、構造、又は特性は、非限定的にあらゆる適切な方法で１つ又はそれよりも多くの実施形態上に組み合わせることができる。
【００１４】
コンピュータプログラミングの当業者の慣例に従って、本発明の開示は、コンピュータシステム又は同様の電子システムによって実行される作動に関連して説明する。これらの作動は、コンピュータ実行型と呼ばれることもある。象徴的に表される作動は、データビットを表す電気信号の中央演算処理装置のようなプロセッサによる操作、及びシステムメモリ内のようなメモリ位置におけるデータビットの維持、並びに信号の他の処理を含むことが認められるであろう。データビットを維持するメモリ位置とは、データビットに対応する特定の電気的、磁気的、光学的、又は有機的特性を有する物理的位置のことである。
【００１５】
ソフトウエアに実施される時に、本発明の開示の要素は、基本的に、必要なタスクを実行するためのコードセグメントである。コードセグメントは、情報を記憶又は転送することができるあらゆる媒体を含むことのできるプロセッサ可読媒体に記憶することができる。プロセッサ可読媒体の例として、電子回路、固体メモリ装置、読取専用メモリ（ＲＯＭ）、フラッシュメモリ又は他の不揮発性メモリ、フロッピーディスケット、ＣＤ−ＲＯＭ、光ディスク、ハードディスクなどが挙げられる。
【００１６】
例示的な実施形態
ここで図を参照すると、図１は、本発明の一実施形態によるユーザインタフェースのグラフィック表現を示している。図示のように、ユーザインタフェース１００は、１０５として示されたメディアタイトルに関連付けられたグラフィック要素を含む。ユーザインタフェース１００は、メディアタイトル１０５に関連付けられた１つ又はそれよりも多くの詳細情報と、１つ又はそれよりも多くの関連付けカテゴリとを提供するために表示することができる。一実施形態では、メディアタイトル１０５は、複数のメディアタイトルからのメディアタイトルの選択のようなユーザインタフェース１００のユーザ選択に基づいて表示することができる。ユーザインタフェース１００は、メディアタイトル１０５に関連付けられた詳細情報を提供し、かつ１つ又はそれよりも多くの機能をユーザ選択に基づいて実行することを可能にすることができる。
【００１７】
ユーザインタフェース１００は、一実施形態によるメディアタイトル１０５に関する詳細な図を示している。その方式により、ユーザインタフェース１００は、装置によって表示され、メディアタイトル１０５に関連付けられた情報を提供し、購入、レンタル、又は情報の閲覧のためにユーザに知らせることができる。メディアタイトル１０５のグラフィック表示は、メディアタイトルに関連付けられた芸術作品（カバーアートなど）に関するものとすることができ、場合によっては、メディアタイトルを特定するためのテキスト又はグラフィックを含むものとすることができる。ユーザインタフェース１００は、１１０として示されたメディアタイトルに関連付けられたテキストを更に表示することができると共に、メディアタイトル１０５に関連付けられた機能を実行するために、ユーザにより選択され、かつ用いることができる１つ又はそれよりも多くのグラフィック要素を更に含むことができる。
【００１８】
グラフィック表示要素１１５は、購入ボタンに関するものであり、このボタンをユーザが選択することにより、タイトル１０５に関連付けられたメディアを購入することができる。グラフィック表示要素１１５は、１２０として示された光輝強調を含むように選択されたフォーカス状態で示されている。グラフィック表示要素１２５は、メディアタイトル１０５をレンタルするように選択することができる選択ボタンに関連するものである。ユーザインタフェース１００は、１３０として示された複数のアイコンを更に含むことができる。その場合、各アイコンは、メディアタイトルに関連付けられたソーシャルネットワーキングサイト、又はメディアコンテンツのソースなど１つ又はそれよりも多くのネットワークの送信先を提供するリンクとして選択することができる。ユーザインタフェース１００は、１３５として示されたメディアデータを更に含む。ユーザがこのメディアデータの選択及び／又は閲覧を行うことにより、別の情報又はメディアタイトル１０５の詳細情報を取得することができる。
【００１９】
一実施形態よると、１つ又はそれよりも多くグラフィック要素は、メディアタイトル１０５に関連付けられたコンテンツの探索のために表示することができる。例えば、１つ又はそれよりも多くのメディアタイトルは、メディアタイトル１０５のために判断された１つ又はそれよりも多くの関連付けに基づいて、メディアライブラリの中から選択することができる。関連付けカテゴリは、メディアタイトルの属性に基づくものとすることができる。例えば、メディアタイトルを関連付けるための属性は、メディアタイトルのジャンル、メディアタイトルの特定の配役やクルー、メディアタイトルに対する関連の類似、メディアタイトルのキーワード、メディアタイトルの評価、及びメディアタイトルに関連付けられた賞のうちの１つ又はそれよりも多くに関するものとすることができる。関連する属性に基づく１つ又はそれよりも多くのメディアタイトルを選択するためにユーザにより選択することができるグラフィック要素の提供は、ピボット接続に関するものとすることができる。一実施形態では、ユーザインタフェース１００は、メディアタイトルを閲覧するために１つ又はそれよりも多くのピボット接続を判断すると共に、ユーザに対して表示することができる。一例として、メディアタイトル１０５が映画に関する場合、ピボット接続を判断するために用いることのできるメディアタイトル１０５の属性は、メディアタイトル１０５と関連のある１人又はそれよりも多くの俳優名が含まれる。俳優名に基づいて、その俳優を含む１つ又はそれよりも多くのメディアタイトルを選択することができる。ピボット接続は、複数の属性に基づいて行うことができることも望ましい。図４と関連して以下により詳細に説明するように、ピボット接続は、関連付けカテゴリに関連付けることができる。
【００２０】
ユーザインタフェース１００は、１４０1-nとして示されている１つ又はそれよりも多くの関連付けカテゴリ要素の表示を含むことができる。各関連付けカテゴリ要素、すなわち、ピボットは、メディアタイトルに類似の属性、すなわち、ピボット接続に基づいて、１４５として示されたメディアタイトルに関連付けられたグラフィック要素を含むことができる。関連付けカテゴリ要素は、１５０として示された付加的なメディアタイトルに関連付けられた１つ又はそれよりも多くの付加的なグラフィック要素の一部分の表示を更に含むことができる。関連付けカテゴリ要素は、ピボット接続のカテゴリを特定するためのテキスト説明を更に含むことができる。例えば、ユーザインタフェース１００には、１５５として示された「類似作品」カテゴリ、１６０として示された助演俳優のための賞カテゴリ、及び１６５として示されたキーワード「爆発」に関連付けられたキーワードカテゴリに関連付けられた関連付けカテゴリ要素が含まれる。ピボット接続要素１４０1-nの表示に基づいて、ユーザインタフェース１００は、ユーザが１つ又はそれよりも多くのピボット接続に基づいて、メディアタイトル１０５のために様々なコンテンツを探索可能であるようにすることができる。更に、以下により詳細に説明するように、関連付けカテゴリ要素の表示は、各要素に割り当てられた優先順位レベルに基づくことができる。その方式により、コンテンツをユーザに向けることができる。更に、ユーザインタフェース１００は、ユーザナビゲーションにおいて、補助のためのグラフィック表示要素のフォーカス移行を用いることができる。例えば、ユーザインタフェース１００は、１つ又はそれよりも多くの関連付けカテゴリ要素の視覚的アピールを高めるための１７０として示されたスポットライト効果を含むことができる。
【００２１】
ユーザインタフェース１００についてメディアタイトルを参照して上述したが、ユーザインタフェースは、以下に限定されるものではないが、管理ファイル、個人用ファイル、データフォルダ、画像ファイル、カレンダのエントリ、連絡先などを含む様々な種類の要素のグラフィック表示及び／又は呈示のために用いることができることを認めるべきである。
【００２２】
ここで図２を参照すると、一実施形態による装置の簡略ブロック図が示されている。一実施形態では、装置２００は、メディアファイルを呈示するためにユーザインタフェースを提供するように構成することができる。装置２００は、１つ又はそれよりも多くの関連付けカテゴリ（ピボット接続など）を判断するように更に構成することができる。一実施形態では、装置２００は、メディアを閲覧するためのテレビジョンディスプレイのような表示装置に関するものとすることができる。代替的に、装置２００は、セットトップボックス、ゲームコンソール、メディアプレイヤ、（ＤＶＤ、Ｂｌｕ−ｒａｙ（登録商標）、オーディオプレイヤなど）、ネットワークベースの通信モジュールのような表示装置にデータを提供するように構成された１つ又はそれよりも多くの装置に関するものとすることができる。更に別の実施形態では、装置２００は、メディアプレイヤ、パーソナル通信装置のような携帯用電子装置に関するものとすることができる。装置２００は、ユーザに対してメディアコンテンツの閲覧及び／又は探索のための複数のメディアタイトルを呈示するために、本明細書に説明する処理のうちの１つ又はそれよりも多くの処理を用いるように構成することができる。
【００２３】
図２に示すように、装置２００には、プロセッサ２０５、メモリ２１０、入力／出力インタフェース２１５、ディスプレイ２２０、及び通信インタフェース２２５が含まれる。プロセッサ２０５は、メモリ２１０に記憶された１つ又はそれよりも多くのコンピュータ実行可能命令に基づいて、装置２００の作動を制御するように構成することができる。メモリ２１０は、ＲＡＭメモリとＲＯＭメモリの一方のメモリに関するものとすることができ、かつ装置２００の作動のための１つ又はそれよりも多くのメディアファイル、コンテンツ、及びコンピュータ実行可能命令を記憶するように構成することができる。
【００２４】
Ｉ／Ｏインタフェース２１５は、数字キー、音量制御、チャンネル制御、メニュー制御、ポインティング装置、トラックボール、モード選択ボタン、及び再生機能（再生、停止、一時停止、早送り、繰り出し、スロー再生など）のようなユーザ入力のための１つ又はそれよりも多くのボタンを含むことができる。Ｉ／Ｏインタフェース２１５のボタンは、ハードボタン及びソフトボタンを含むことができ、ソフトのボタンの機能は、装置２００上で作動する１つ又はそれよりも多くのアプリケーションに基づくことができる。Ｉ／Ｏインタフェース２１５は、グラフィック要素のスクロール又は選択を行うなどの１つ又はそれよりも多くのユーザ指令に対して使用することができる。Ｉ／Ｏインタフェース２１５は、ユーザインタフェースのナビゲートのために１つ又はそれよりも多くの遠隔制御命令を復号するように更に構成することができる。別の実施形態では、装置２００は、１つ又はそれよりも多くの光学ドライブ（図２には示されていない）を含むことができ、光学ドライブは、ディスク（ＣＤ、ＤＶＤ（登録商標）、Ｂｌｕ−ｒａｙ（登録商標）など）に記憶された１つ又はそれよりも多くのメディアファイルの検出及び復号を行うように構成することができる。ディスプレイ２２０を用いて、ユーザインタフェースを表示することができる。一部の実施形態では、ディスプレイ２２０は、表示装置に関する１つ又はそれよりも多くのユーザ選択を検出するように構成されたタッチスクリーンディスプレイに関するものとすることができる。ディスプレイ２２０を用いて示されているが、表示装置は、ある一定の実施形態において任意的とすることができることは認められるであろう。
【００２５】
通信インタフェース２２５は、以下に限定されるものではないが、ＬＡＮ、ＷＡＮ、Ｗｉ−Ｆｉなどを含むネットワークベースの通信を考慮するように構成することができる。一部の実施形態では、通信インタフェース２２５は、１つ又はそれよりも多くの装置が有線通信又は無線通信を通じて装置２００との通信が可能になるように構成することができる。通信インタフェース２２５は、取外し可能メモリのためのポートを含むデータ受信のための１つ又はそれよりも多くのポートを更に含むことができる。
【００２６】
ここで図３を参照すると、メディアタイトルに関連付けられたコンテンツの探索のための装置によってユーザインタフェースを呈示する処理が示されている。処理３００は、ピボット接続のようなメディアタイトルとの関連付けに基づいて１つ又はそれよりも多くの要素を表示するための図１の装置によって実行することができる。処理３００は、ブロック３０５においてユーザ選択を検出することによって開始することができる。ユーザ選択は、装置によって表示されるユーザインタフェースのグラフィック要素の選択に関するものとすることができる。例えば、ユーザは、タイトルに関連する情報の閲覧及び／又はタイトルの購入又はレンタルを行うか否かの判断を行うために、メディアタイトルに関連付けられたグラフィック要素を選択することができる。本発明の一実施形態によれば、メディアタイトルのユーザ選択は、メディアタイトル又は関連付けカテゴリに関連付けられた１つ又はそれよりも多くのグラフィック要素の表示をもたらす場合がある。
【００２７】
ブロック３１０において、ランク付けは、メディアタイトルのための１つ又はそれよりも多くの関連付けカテゴリに対して判断することができる。ランク付けは、メディアタイトルの特徴に関連する複数の関連付けカテゴリの得点に基づいて判断することができる。関連付けカテゴリの得点は、ユーザ選択又はユーザにより選択されたカテゴリに関連付けられたメディアタイトルに対する１つ又はそれよりも多くの関連付けカテゴリの属性及び／又はメディアタイトルの属性を得点する段階を含むことができる。１つ又はそれよりも多くのピボット接続は、得点に基づいて判断することができる。ピボット接続を判断するために、装置は、１つ又はそれよりも多くの選択されたメディアタイトル又はカテゴリの属性を判断することができる。
【００２８】
一実施形態では、装置は、装置によってネットワークベースのサービスから受信したランク付けデータと得点とに基づいて関連付けカテゴリのランク付けを判断することができる。例えば、装置は、関連付けカテゴリ及び／又は別のメディアタイトルに対する各メディアタイトルのためにランク付けデータと得点データを受信することができる。装置は、受信したランク付け又は得点データに当該ユーザ選択を関連付けることによってランクキングデータを判断することができる。属性データは、ネットワークベースのサービスから受信することができる。ネットワークベースのサービスは、関連付けカテゴリのランク付け及び得点データを装置に対して同様に提供することができる。その方式により、装置は、受信したランク付けデータ及び得点データに基づいてランク付けを判断することができる。その方式により、ユーザ選択が検出された際に、ランク付けデータ及び得点データが利用可能であるので、処理速度を増すことができる。
【００２９】
別の実施形態によれば、関連付けカテゴリのランク付けの判断は、装置によって判断することができる。一部の実施形態では、装置は、複数のメディアタイトルに対して属性データを含む１つ又はそれよりも多くのテーブルを判断し、次に、メモリに記憶することができる。他の実施形態では、ネットワークサーバが１つ又はそれよりも多くのメディアタイトルの属性に一致するメモリテーブルを提供することができる。メディアタイトルの属性に基づいて、１つ又はそれよりも多くの関連付けカテゴリ又はメディアタイトルを選択することができる。選択されたメディアタイトルは１つ又はそれよりも多くのカテゴリに基づいて更に配列することができる。
【００３０】
一実施形態では、複数のメディアタイトルの得点付けは、メディアタイトルのジャンル、メディアタイトルの特定の配役又はクルー、メディアタイトルに対するコンテクスト類似性、メディアタイトルのキーワード、メディアタイトルの評価、及びメディアタイトルに関連付けられた賞のうちの１つ又はそれよりも多くに対するメディアタイトルの関連付けに基づいて行うことができる。複数のメディアタイトルの得点は、各メディアタイトル属性に対して判断されたランク付けに基づいて複数のメディアタイトルのうちの各々のメディアタイトルに対してメディアタイトルの最高ランク付けの関連付けを判断する段階を含むことができる。
【００３１】
ユーザ選択に基づいて、装置は、ブロック３１５においてメディアタイトルのためのカバー芸術作品又はグラフィックタイトルのようなグラフィック要素を表示することができる。ユーザインタフェースの表示は、ブロック３２０において、１つ又はそれよりも多くの関連付けカテゴリ、すなわち、ピボット機会の表示を含むことができる。関連付けカテゴリの表示は、メディアタイトルに関連付けられたテキスト及び１つ又はそれよりも多くのグラフィック要素のようなカテゴリの識別子を含むことができる。関連付けカテゴリを表すグラフィック要素は、カテゴリに関連付けられたメディアタイトルの部分を含むように表示することができる。
【００３２】
ここで図４を参照すると、１つ又はそれよりも多くの実施形態による関連付けカテゴリのグラフィック表現が示されている。一実施形態によれば、関連付けカテゴリは、より多くのメディアタイトルカテゴリ、又は配役４０５、監督４１５、賞４２５、映画カテゴリ４３５、キーワードカテゴリ４４５、日付４５５、及び評価４６５を含むメディアタイトルカテゴリに対して判断することができる。他のカテゴリを関連付けカテゴリを構成するために用いることができることも認めるべきである。更に、図４は、映画タイトルのためのカテゴリを参照して説明しているが、ユーザにデータを呈示するための他のタイプのメディア及び処理に対して関連付けカテゴリを使用することができることを認めるべきである。
【００３３】
一実施形態では、関連付けカテゴリの表示は、優先順位付けすることができる。別の実施形態によると、メディアタイトルために判断された関連付けカテゴリの部分集合は、ユーザインタフェースに表示することができ、他の関連付けカテゴリは、ユーザがカテゴリを含むユーザインタフェースの一部分をスクロールすることによりアクセスすることができる。従って、図４は、１つ又はそれよりも多くのピボット接続カテゴリの呈示に関する例示を示しており、優先順位が表示順序に基づいて提供される。
【００３４】
配役カテゴリ４０５は、１人又はそれよりも多くの映画の配役メンバに関連付けることができる。装置は、別のメディアタイトルに対する関連付け、すなわち、ピボット接続を判断するための属性として、４１０1-nとして示されている１人又はそれよりも多くの配役メンバの名前を判断するように構成することができる。図５と関連して以下により詳細に説明するように、ユーザは、ユーザインタフェースのメニューにおいて俳優名を選択することができる。その場合、ユーザインタフェースは、俳優が含まれている１つ又はそれよりも多くの映画タイトルを特定するように構成することができる。監督カテゴリ４１５は、４２０として示された類似の監督に基づいて、映画タイトルを特定するために用いることができる。ある一定の事例において、賞カテゴリ４２５は、類似の映画賞を受賞したメディアタイトルの選択のために表示することができる。映画カテゴリ４３５は、４１０1-nとして示されたアクション、コメディ、ドラマ、スリラー、一般的なカテゴリなどを含む映画の種類に関するものである。キーワードカテゴリ４４５は、映画の様々な特徴に関連付けられた１つ又はそれよりも多くのメディアタイトルを選択するために使用することができる。図４に示されているキーワード属性の例には、映画４５０1に基づく漫画本、裏切り４５０2を含む映画、スーパーヒーロー４５０3を対象とする内容を含む映画、飛行機４５０4を含む映画、及びある一定の事例においては４５０nとして示されたユーザが与えた用語が含まれる。メディアタイトルは、４５５として示されたデータ、及び４６０として示された評価に基づいて同様に判断することができる。
【００３５】
ここで図５を参照すると、別の実施形態によるユーザインタフェースのグラフィック表現が示されている。関連付けカテゴリ要素のユーザ選択に基づいて、ユーザインタフェースは、ユーザ選択に関連付けられた１つ又はそれよりも多くのメディアタイトルを呈示するように構成することができる。ユーザインタフェース５００は、特定の編成で複数のメディアタイトルを呈示するための１つ又はそれよりも多くのグラフィック表示要素を示している。グラフィック要素５０５は、ユーザに呈示することができるメディアタイトルの部分集合に関するものとすることができる。付加的な又はより少数のメディアタイトルは、ユーザインタフェースの表示ウィンドウにおいてユーザインタフェース５００により表示することができることも認められるであろう。例えば、メディアタイトル５１０は、メディアタイトルに関連付けられたグラフィック画像及び／又はテキストに関するものとすることができる。
【００３６】
ユーザインタフェース５００は、螺旋状の配列でグラフィック要素を表示するように構成することができる。図５の螺旋状の配列には、他の螺旋状に配列されたグラフィック表示要素内の中心位置に表示された第１のグラフィック表示要素５１０が含まれる。この螺旋状配列は、５１５として示されてグラフィック表示要素のうちの各グラフィック表示要素がフォーカス状態を備えている複数のグラフィック表示要素と、５２０として示されて第２のフォーカス状態を備えたグラフィック表示要素の第２群とを含むことができる。例えば、第１の群５１５に関連付けられたグラフィック表示要素５２５は、フォーカスがオフである通常状態を有することができる。しかし、第２の群５２０に関連付けられたメディアタイトル５３０は、フォーカスオンを有するフォーカス状態で表示することができる。ユーザインタフェース５００は、群５１５及び５２０の要素が方向５３５で示すように回転可能であるグラフィック表示要素の回転表示を提供することができる。ユーザインタフェース５００は、グラフィック表示要素のアニメーションで呈示することができ、閲覧している間、第１の表示要素５１０と関連する要素が活発に追加されているように見える。
【００３７】
ある一定の実施形態では、ユーザインタフェース５００は、ユーザによって選択することができる１つ又はそれよりも多くの関連付けカテゴリを列挙するメニュー５４０を含むことができる。選択された関連付けカテゴリに基づいて、１つ又はそれよりも多くのメディアタイトルを表示することができる。例えば、図１に示すように、メニュー５４０は、メディアタイトルの配役カテゴリのために示されている。メニュー５４０の表示は、５４５として示された配役カテゴリの識別子を含むことができる。ユーザインタフェース５００は、５５０として示された１つ又はそれよりも多くのピボット接続を更に含むことができる。ユーザにより選択されて５５５として示されたピボット接続は、選択された特定のピボット接続を特定するために、他のピボット接続に対して相対的なサイズの拡大、光輝強調５６０、及び透明性設定のうちの１つ又はそれよりも多くを含む選択されたフォーカス状態を有するように表示することができる。この選択されたフォーカス状態は、ユーザインタフェースのユーザ操作に基づく他の関連付けカテゴリに適用することができる。一実施形態によれば、メディアタイトル５０５は、ピボット接続要素５５５の選択に基づいて表示することができる。従って、ピボット接続タイトル５０５は、メディアタイトル内で役柄を有していたようなピボット接続要素５５５に関連付けられた俳優を個々に含むことができる。
【００３８】
メニュー５４０は、監督カテゴリ５６５及び５７０として示された監督名のためのピボット接続要素のような付加的なピボット接続カテゴリを更に含むことができる。更に別の実施形態では、ユーザインタフェース５００は、表示されたピボット接続要素の視覚的アピールの改善を図るために５７５として示されたスポットライト処理を含むことができる。
【００３９】
ここで図６を参照すると、別の実施形態によるユーザインタフェースのグラフィック表現が示されている。ピボット接続要素のユーザ選択に基づいて、ユーザインタフェースは、ユーザ選択に関連付けられた１つ又はそれよりも多くのメディアタイトルを呈示するように構成することができる。図６は、フォーカス状態を個々に有し、かつ６０５として示された螺旋状の編成で表示された複数のメディアタイトルを示している。ユーザインタフェース６００は、映画カテゴリに基づくピボット接続のためのメニュー６１０を更に含む。メニュー６１０は、６１５として示されたピボットカテゴリを特定することができる。ピボット接続カテゴリ６１５の表示は、６２０として示された複数のピボット接続要素を含むことができる。メディアタイトル６０５の表示は、ピボット接続６２５のユーザ選択に基づいて行うことができる。ユーザインタフェース６００は、光輝強調６３０を含む選択されたフォーカス状態を有するようにピボット接続６２５を表示することができる。ユーザインタフェース６００は光輝強調６３５を更に含むことができる。
【００４０】
ここで図７を参照すると、別の実施形態によるユーザインタフェースのグラフィック表現が示されている。ピボット接続要素のユーザ選択に基づいて、ユーザインタフェース７００は、７０５として示されユーザ選択に関連付けられた１つ又はそれよりも多くのメディアタイトルを格子状編成で呈示するように構成することができる。図７は、ピボット接続要素に関連付けられたメニュー７１５のユーザ選択に基づいて表示することができるメディアタイトル７１０のような複数のメディアタイトルを示している。複数のメディアタイトルがユーザ選択に関連付けられる場合、ユーザインタフェース７００は、方向７２０及び７２５により示すように、表示ウィンドウ内をスクロール可能とすることができる。メニュー７１５は、７４０1-nとして示されたキーワードピボット接続に基づいて１つ又はそれよりも多くのメディアタイトルを特定するためのキーワードピボット接続カテゴリを示している。一部の実施形態では、ユーザインタフェース７００は、ユーザが７４０nで示すピボット接続のためのキーワード用語を定めることを可能にすることができる。
【００４１】
ここで図８を参照すると、別の実施形態によるユーザインタフェースの作動に対して行われる処理のグラフィック表現が示されている。処理８００を用いて、１つ又はそれよりも多くの関連付けカテゴリ及び／又はメディアタイトルを判断することができる。より多くのメディアタイトルのうちの１つのメディアタイトルの得点に基づいて、１つ又はそれよりも多くのピボット接続及びピボット接続要素をユーザインタフェースによって表示することができる。処理８００は、ブロック８０５においてピボット機会の判断によって開始することができる。ピボット機会は、メディアタイトルと、複数のメディアタイトルのうちの各メディアタイトルとの間の関連付けに関するものとすることができ、このピボット機会は、メディアタイトル間で類似の属性に関連付けることができる。複数のピボット機会は、複数の類似の属性に基づく２つのメディアタイトルに関連して判断することができる。代替的に又は組み合わせで、ピボット機会は、メディアタイトルと関連付けカテゴリの間の関連付けに関するものとすることができる。ブロック８０５において、ピボット機会は、メディアタイトルのジャンル、メディアタイトルの特定の配役又はクルー、メディアタイトルに対するコンテクスト類似性、メディアタイトルのキーワード、メディアタイトルの評価、及びメディアタイトルに関連付けられた賞のうちの１つ又はそれよりも多くに基づくことができる。メディアタイトルに対するピボット機会を判断することにより、１つ又はそれよりも多くのメディアタイトル及び関連付けカテゴリをユーザに対して提案又は呈示することができる。
【００４２】
ブロック８１０において、各ピボット機会は、メディアタイトルのために得点を付けることができる。複数のメディアタイトルの得点付けは、各メディアタイトル属性に対して判断されたランクに基づいて複数のメディアタイトルのうちの各々のメディアタイトルに対してメディアタイトルの最高ランク付けの関連付けを判断する段階を含むことができる。一実施形態では、共同フィルタリングを用いて、１つの又はそれよりも多くのメディアタイトルとの関連付け及び関連付けの強さに基づいて、ピボット機会を得点付けることができる。更に、関連付けカテゴリは、各関連付けカテゴリに関連付けられたメディアタイトルの回数及びランクに基づいて更に得点を付けることができる。一実施形態では、得点付けは、メディアタイトルがカテゴリに関連して得点が付けられる各関連付けに対するパーセント値に基づいて行うことができる。別の実施形態では、属性得点は、関連付けの全て又は部分集合に対する合計得点として組み合わせることができる。
【００４３】
別の実施形態によると、より多くのピボット機会のうちの１つが廃棄されることもある。例えば、多すぎるか又は少なすぎるメディアタイトルを有する関連付けカテゴリは、関連付けカテゴリの表示リストから廃棄されるか又は取り除かれる場合がある。判断ブロック８１５において、１つ又はそれよりも多くのピボット機会を廃棄するか否かを判断することができる。１つ又はそれよりも多くのピボット機会を廃棄すべき場合（判断ブロック８１５からの「イエス」経路など）、残りの関連付けカテゴリのランク及びピボット機会は、ブロック８２０において更新することができる。１つ又はそれよりも多くのピボット機会を廃棄すべき場合（判断ブロック８１５からの「ノー」経路など）、残りの関連付けカテゴリのランクは、ブロック８２５において出力される。各ピボット機会と関連付けカテゴリのランク付けは、メディアタイトル又はメディアタイトルカテゴリの優先順位付けがユーザに対して呈示されることを可能にする。メディアタイトルの単なる関連付けとは対照的に、カテゴリ及びタイトルは、重要度、関連性、及びユーザの楽しみのうちの１つ又はそれよりも多くに基づいてランク付され、かつ呈示することができる。
【００４４】
別の実施形態によれば、得点が付けられたピボット機会及び関連付けカテゴリは、１つ又はそれよりも多くの関連付けカテゴリを無作為に導入するか、又は再配置することによって更新することができる。例えば、１つの関連付けに対してのみ高い得点を含み、その得点が実質的に他の関連付けに比べて高いものであるが、低ランクと共に現れる場合があるピボットカテゴリは、変化に富んだ経験をユーザに提供するように調節することができる。判断ブロック８３０において、無作為なピボット機会又は関連付けカテゴリを挿入するか否かを判断することができる。１つ又はそれよりも多くのピボット機会を挿入すべき場合（判断ブロック８３０からの「イエス」経路など）、残りの関連付けカテゴリ及びピボット機会のランクは、ブロック８３５において更新することができる。１つ又はそれよりも多くのピボット機会を挿入すべきでない場合（判断ブロック８３０からの「ノー」経路など）、残りの関連付けカテゴリのランクは、ブロック８４０において出力される。ユーザインタフェースを呈示するための１つ又はそれよりも多くの装置に提供するために、処理８００により判断されたデータの得点及びランク付けは、ネットワークベースのサービスによって用いることができることも認めるべきである。
【００４５】
本発明の開示をその例示的な実施形態を参照して具体的に図示して説明したが、添付の特許請求の範囲によって包含される実施形態の範囲から逸脱することなく形態及び詳細の様々な変更をそこに行うことができるとは当業者によって理解されるであろう。
【符号の説明】
【００４６】
１００  ユーザインタフェース
１０５  メディアタイトル
１１５  グラフィック表示要素
１２０  光輝強調
１３０  アイコン
【図１】
2012128835.tif 000003
【図２】
2012128835.tif 000004
【図３】
2012128835.tif 000005
【図４】
2012128835.tif 000006
【図５】
2012128835.tif 000007
【図６】
2012128835.tif 000008
【図７】
2012128835.tif 000009
【図８】
2012128835.tif 000010
【外国語明細書】
2012128835.tif 000011
2012128835.tif 000012
2012128835.tif 000013
2012128835.tif 000014
2012128835.tif 000015
2012128835.tif 000016
2012128835.tif 000017
2012128835.tif 000018
2012128835.tif 000019
2012128835.tif 000020
2012128835.tif 000021
2012128835.tif 000022
2012128835.tif 000023
2012128835.tif 000024
2012128835.tif 000025
2012128835.tif 000026
2012128835.tif 000027
2012128835.tif 000028
2012128835.tif 000029
2012128835.tif 000030
2012128835.tif 000031
2012128835.tif 000032
2012128835.tif 000033
2012128835.tif 000034
2012128835.tif 000035
2012128835.tif 000036
2012128835.tif 000037
2012128835.tif 000038
2012128835.tif 000039